(57)【要約】【課題】屋根用シートの軒部側の先端部を軒部の下面側に回り込ませた取付け状態を施工容易に形成することができる、シート式屋根の構造を提供する。【解決手段】軒部に、軒線方向に沿って延びる添え材８が、軒部の上面側から側面側へと回動するように枢着され、該添え材８に屋根用シート１１の軒側の先端部が止め付けられ、該添え材８が軒部の上面側から側面側へと回動することで、屋根用シート１１の軒側先端止付け部が添え材８の下面側又は背面側に回り込まされている。【選択図】      図２
2006083575.tif 000002
【特許請求の範囲】
【請求項１】
屋根面がシートで形成されたシート式屋根の構造であって、
軒部に、軒線方向に沿って延びる添え材が、軒部の上面側から側面側へと回動するように枢着され、
該添え材に屋根用シートの軒側の先端部が止め付けられ、該添え材が軒部の上面側から側面側へと回動することで、屋根用シートの軒側先端止付け部が添え材の下面側又は背面側に回り込まされていることを特徴とするシート状屋根の構造。
【請求項２】
前記屋根用シートの軒側の先端部が面ファスナーで添え材に止め付けられている請求項１に記載のシート状屋根の構造。
【請求項３】
直交する軒部の交差出隅部において、一方の軒部の添え材の端部がもう一方の軒部の添え材の端部側に突出してへこみ部無しの交差出隅部が形成されている請求項１又は２に記載のシート式屋根の構造。
【請求項４】
前記屋根用シートが、前記一方の軒部の添え材の突出端部の先端面、上面、側面及び下面をカバーする部分を備え、該部分でそれらの面がカバーされている請求項３に記載のシート式屋根の構造。
【発明の詳細な説明】
【技術分野】
【０００１】
本発明は、シート式屋根の構造に関する。
【背景技術】
【０００２】
屋根面をシートで形成したシート式屋根の構造において、屋根用シートの軒部側の先端部を軒部の少なくとも下面側に回り込ませるように取り付ける場合、取付けの作業が上向き作業になって、施工が非常に厄介であるという問題がある。
【発明の開示】
【発明が解決しようとする課題】
【０００３】
本発明は、上記のような問題点に鑑み、屋根用シートの軒部側の先端部を軒部の下面側に回り込ませた取付け状態を施工容易に形成することができる、シート式屋根の構造を提供することを課題とする。
【課題を解決するための手段】
【０００４】
上記の課題は、屋根面がシートで形成されたシート式屋根の構造であって、
軒部に、軒線方向に沿って延びる添え材が、軒部の上面側から側面側へと回動するように枢着され、
該添え材に屋根用シートの軒側の先端部が止め付けられ、該添え材が軒部の上面側から側面側へと回動することで、屋根用シートの軒側先端止付け部が添え材の下面側又は背面側に回り込まされていることを特徴とするシート状屋根の構造によって解決される。
【０００５】
この構造では、軒部に軒部の上面側から側面側へと回動するように枢着された添え材が備えられているので、添え材を軒部の上面側に位置させた状態で、屋根用シートの先端部を添え材の上面部又は側面部に下向き作業あるいは横向き作業で止め付ければ、添え材を軒部の上面側から側面側へと回動することにより、屋根用シートの軒側先端止付け部は添え材の下面側又は背面側に回り込み、従って、屋根用シートの軒部側の先端部を軒部の下面側に回り込ませた取付け状態を施工容易に形成することができる。
【０００６】
上記の構造において、屋根用シートの軒側の先端部は面ファスナーで添え材に止め付けられているとよい。この場合は、屋根用シートの先端部を上記のように下向き作業あるいは横向き作業で添え材に重ねるようにするだけで、屋根用シートの先端部を添え材に止め付けることができ、施工を容易に行うことができる。
【０００７】
また、上記の構造において、直交する軒部の交差出隅部において、一方の軒部の添え材の端部がもう一方の軒部の添え材の端部側に突出してへこみ部無しの交差出隅部が形成されているとよい。この場合は、直交する軒部の交差出隅部を一方の添え材の端部を突出させるだけの簡素な構造でへこみ部のないスッキリとした納まりにすることができ、へこみ部をなくすのに部品点数が増加することもないし、また、直交する各軒部の添え材が回動時に互いに干渉してしまうこともない。
【０００８】
更に、この構造において、屋根用シートが、前記一方の軒部の添え材の突出端部の先端面、上面、側面及び下面をカバーする部分を備え、該部分でそれらの面がカバーされているとよい。その場合は、交差出隅部がへこみ部無しのスッキリとした納まりになることとの組み合わせにおいて、屋根用シートが、軒部交差出隅部においても軒部一般部と同様に、添え材の下面側又は背面側に回り込んだ状態となり、軒部一般部同士をきれいな仕上がり状態で連続させることができ、また、軒部出隅部用の役物シートを屋根用シートとは別に用意する必要がなく部品点数を少なくすることができる。
【発明の効果】
【０００９】
本発明は、以上のとおりのものであるから、屋根用シートの軒部側の先端部を軒部の下面側に回り込ませた取付け状態を施工容易に形成することができる。
【発明を実施するための最良の形態】
【００１０】
次に、本発明の実施最良形態を図面に基づいて説明する。
【００１１】
本実施形態のシート式屋根の構造は、図６〜図８に示すように、角形のログ材１…を井桁状に組み、上下のログ材１，１間を遮蔽部２及び／又は透光部３で塞いだ外壁構造の組立て家屋４の屋根に適用した場合のもので、図６（イ）に示すように、同様のログ材からなる左右の軒桁５，５が、それらの両端部をそれぞれ家屋の外壁よりも外方に突出させるようにして備えられると共に、同様のログ材からなる多数本の小屋梁６，７…が、図８（ロ）に示すように、上記の軒桁５，５にわたすようにして所定間隔おきに平行に備えられている。
【００１２】
そして、軒桁５，５の両端に備えられて軒部を構成する最側部の小屋梁６，６には、図１、図２及び図７（イ）に示すように、該小屋梁６，６を軒部として、同様の角形ログ材からなる第１添え材８，８が、該軒部の延びる方向に向けられ、該軒部を構成する最側部の小屋梁６，６に対し、その上面側と側面側とを回動して往き来できるように、丁番１０…で枢着されている。
【００１３】
また、図３及び図７（イ）に示すように、軒桁５，５上に設置された多数本の小屋梁６，７…の端部の群を軒部として、同様の角形ログ材からなる第２添え材９，９が、該軒部の延びる方向に向けられ、該軒部を構成する小屋梁７…の端部に対し、該軒部の上面側と側面側とを回動して往き来できるように、丁番１０…で枢着されている。
【００１４】
そして、上記の第１，第２の添え材８，９は、各軒部の側面側に位置した状態で、図７（イ）及び図５（ロ）に示すように、直交する軒部の交差出隅部において、第１添え材８の端部８ａが第２添え材９の端部側に突出することで、へこみ部無しの交差出隅部が形成されるようになされている。
【００１５】
屋根用シート１１は、例えばポリエチレンを独立気泡構造にした低発泡ポリエチレン断熱シートの両面を膜材でカバーしたものなどからなっていて、平面視方形状をしており、四隅部には、図５（イ）に示すように、切込み１２…や付けシート片１３が設けられて、第１〜第５の隅カバー部１４，１５，１６，１７，１８が形成され、これら隅カバー部１４，１５，１６，１７，１８で、第１添え材８の突出端部８ａの先端面、上面、側面及び下面をカバーできるようになされている。該屋根用シート１１は、次のようにして取り付けられる。
【００１６】
即ち、屋根用シート１１の一方の対辺の各先端部を、図１（イ）（ロ）及び図２（ハ）に示すように、最側部の小屋梁６の上面側に位置させた第１添え材８の外方側の側面部に面ファスナー１９ａ，１９ｂで止め付け、しかる後、図２（ニ）（ホ）に示すように、第１添え材８を回動して最側部の小屋梁６の側面側に位置させる。回動の操作は、第１添え材８の自重を利用して容易に行うことができる。これにより、屋根用シート１１の先端止付け部１９ａ，１９ｂが第１添え材８の下面側又は背面側に回り込まされた状態となる。あとは、図４（イ−１）（イ−２）に示すように、第１添え材８と最側部の小屋梁６とを屋内側からネジ金具２０ａ，２０ｂの締め合わせを行えば、第１添え材８は回動阻止状態に固定される。
【００１７】
また、屋根用シート１１のもう一方の対辺の各先端部についても、図３（イ）〜（ハ）に示すように、小屋梁７…の端部の群の上面側に位置させた第２添え材９の外方側の側面部に面ファスナー１９ａ，１９ｂで止め付け、しかる後、第２添え材９を回動して前記端部の群の側面側に位置させる。回動の操作は、第１添え材８の場合と同様に、第２添え材９の自重を利用して容易に行うことができる。これにより、屋根用シート１１の先端止付け部１９ａ，１９ｂが第２添え材９の背面側に回り込まされた状態となる。あとは、図４（ロ−１）（ロ−２）に示すように、第２添え材９と、軒桁５の上面部に取り付けたＬ形金物２１とを、屋内側からフック式のネジ金具２２ａで締め合わせれば、第２添え材９は回動阻止状態に固定される。
【００１８】
なお、軒部の出隅部では、第１添え材８の端部が第２添え材９の端部側に突出するようになされているので、第１，第２の添え材８，９を同時に軒部の上面側に位置させることができないが、第１，第２の添え材８，９を順次に軒部の上面側に位置させることで、上記の止付けを行っていくことができる。
【００１９】
そして、直交する軒部の交差出隅部では、図５（ハ）に示すように、第１〜第５の隅カバー部１４，１５，１６，１７，１８を、第１から第５の順で交差出隅部に回り込ませ、各カバー部１４，１５，１６，１７，１８に予め取り付けられている面ファスナー２３ａ…，２３ｂ…で各カバー部同士を接合すれば、交差出隅部がきれいにカバーされる。
【００２０】
こうして、屋根用シート１１の取付けを終えた後、図６（イ）（ロ）に示すように、小屋梁７…の上に設置したジャッキ２４を伸長させて屋根用シート１１に、寄せ棟屋根形の水勾配傾斜を付けることにより、屋根が完成される。
【００２１】
このように、上記のシート式屋根の構造では、各軒部に軒部の上面側から側面側へと回動するように枢着された第１，第２の添え材８，８，９，９が備えられているので、第１，第２の添え材８，８，９，９を軒部の上面側に位置させた状態で、屋根用シート１１の軒側の先端部を第１，第２の添え材８，８，９，９の外方側の側面部に横向き作業で止め付ければ、第１，第２の添え材８，８，９，９を軒部の上面側から側面側へと回動することにより、屋根用シート１１の軒側先端止付け部１９ａ，１９ｂは第１，第２の添え材の背面側に回り込み、従って、屋根用シート１１の軒部側の先端部を軒部の下面側に回り込ませた取付け状態を施工容易に形成することができる。
【００２２】
また、上記の実施形態では、屋根用シートの軒側の先端部を面ファスナー１９ａ，１９ｂで第１，第２の添え材８，９に止め付けるようにしているので、屋根用シート１１の先端部を横向き作業で第１，第２の添え材８，９に重ねるようにするだけで止め付けることができ、施工を容易に行うことができる。
【００２３】
更に、上記の実施形態では、直交する軒部の交差出隅部において、第１添え材８の端部が第２添え材９の端部側に突出してへこみ部無しの交差出隅部が形成されているので、軒部の交差出隅部を、簡素な構造でへこみ部のないスッキリとした納まりにすることができる。また、それとの組み合わせにおいて、屋根用シート１１には、切込み１２…や付けシート片１３が設けられて第１〜第５の隅カバー部１４〜１８が形成され、これら隅カバー部１４〜１８で、第１添え材８の突出端部の先端面、上面、側面及び下面をカバーするようになされているので、屋根用シート１１が、軒部交差出隅部においても軒部一般部と同様に、添え材８，９の下面側に回り込んだ状態となり、軒部一般部同士をきれいな仕上がり状態で連続させることができるし、軒部出隅部用の役物シートを別途に用意する必要がなく部品点数を少なくすることができる。
【００２４】
以上に、本発明の実施形態を示したが、本発明はこれに限られるものではなく、発明思想を逸脱しない範囲で各種の変更が可能である。例えば、上記の実施形態では、屋根用シート１１の軒部側の先端部が、軒部の側面側に回動した添え材８，９の背面側に回り込んでいる場合を示しているが、それよりも控えさせて、軒部の側面側に回動した添え材８，９の下面側に回り込むようにしてもよい。また、上記の実施形態では、角形のログ材を井桁状に組み、上下のログ材間を遮蔽部及び／又は透光部で塞いだ外壁構造の組立て家屋の屋根に適用した場合を示したが、本発明のシート式屋根の構造は、これに限らず、屋内外に設置される各種の建物や構造物の屋根構造として広く用いることができるものである。また、上記の実施形態で、屋根シートが断熱シートからなる場合を示したが、断熱の有無や、防水の有無に制限はなく、各種シートが用いられてよく、また、添え材の断面形状についても制限はない。
【図面の簡単な説明】
【００２５】
【図１】実施形態を示すもので、図（イ）及び図（ロ）は、図２（ハ）〜（ホ）と共に、第１添え材側における屋根用シートの取付け方法を順次に示す断面図である。
【図２】図（ハ）〜図（ホ）は、図１（イ）（ロ）と共に、第１添え材側における屋根用シートの取付け方法を順次に示す断面図である。
【図３】図（イ）〜図（ハ）は、第２添え材側における屋根用シートの取付け方法を順次に示す断面図である。
【図４】図（イ−１）及び図（イ−２）は第１添え材の固定方法を順次に示す断面図、図（ロ−１）及び図（ロ−２）は第２添え材の固定方法を順次に示す断面図である。
【図５】図（イ）は屋根用シートの隅部を付けシート片を分離させて示す斜視図、図（ロ）は軒部出隅部における側面側固定状態の第１，第２の添え材の斜視図、図（ハ）は軒部出隅部において第１〜第５カバー部を開いた状態を示す斜視図である。
【図６】屋根部分を示すもので、図（イ）は図７（ロ）のＩ−Ｉ線断面矢視図、図（ロ）は図７（ロ）のＩＩ−ＩＩ線断面矢視図である。
【図７】図（イ）は屋根用シートを取り除いた状態の屋根の平面図、図（ロ）は屋根用シートを取り付けた状態の屋根の平面図である。
【図８】図（イ）は家屋の外壁部分の平面断面図、図（ロ）は小屋梁の平面図である。
【符号の説明】
【００２６】
６…最側部の小屋梁（軒部）
７…小屋梁
８…第１添え材
８ａ…端部
９…第２添え材
１０…丁番
１１…屋根用シート
１９ａ，１９ｂ…面ファスナー
【図１】
2006083575.tif 000003
【図２】
2006083575.tif 000004
【図３】
2006083575.tif 000005
【図４】
2006083575.tif 000006
【図５】
2006083575.tif 000007
【図６】
2006083575.tif 000008
【図７】
2006083575.tif 000009
【図８】
2006083575.tif 000010